(57)【要約】【課題】ダンパダイオードを追加することなく、安定に動作する回収回路を備えたプラズマディスプレイ装置の駆動方法を提供する。【解決手段】走査電極に維持パルスを印加する第１の維持パルス発生回路を有する走査電極駆動回路と、維持電極に維持パルスを印加する第２の維持パルス発生回路を有する維持電極駆動回路とを備え、第１の維持パルス発生回路および第２の維持パルス発生回路のそれぞれはインダクタを有し、インダクタと表示電極対の間の電極間容量とをＬＣ共振させて維持パルスの立ち上りを行い、プラズマディスプレイ装置の電源投入後所定の時間が経過するまでの期間では維持パルスの立ち上り時間をＬＣ共振の共振周期の１／２周期より長く設定し、所定の時間が経過した後は維持パルスの立ち上り時間をＬＣ共振の共振周期の１／２周期以下に設定する。【選択図】図７
2009192649.tif 000002
【特許請求の範囲】
【請求項１】
走査電極と維持電極とからなる表示電極対を有する放電セルを複数備えたプラズマディスプレイパネルと、前記走査電極に維持パルスを印加する第１の維持パルス発生回路を有する走査電極駆動回路と、前記維持電極に維持パルスを印加する第２の維持パルス発生回路を有する維持電極駆動回路とを備えたプラズマディスプレイ装置の駆動方法であって、
前記第１の維持パルス発生回路および前記第２の維持パルス発生回路のそれぞれはインダクタを有し、前記インダクタと前記表示電極対の間の電極間容量とをＬＣ共振させて前記維持パルスの立ち上りを行い、
前記プラズマディスプレイ装置の電源投入後所定の時間が経過するまでの期間では、前記維持パルスの立ち上り時間を前記ＬＣ共振の共振周期の１／２周期より長く設定し、
前記所定の時間が経過した後は、前記維持パルスの立ち上り時間を前記ＬＣ共振の共振周期の１／２周期以下に設定することを特徴とするプラズマディスプレイ装置の駆動方法。
【請求項２】
前記所定の時間は、電源投入後から画像表示を開始するまでの時間より短いことを特徴とする請求項１に記載のプラズマディスプレイ装置の駆動方法。
【発明の詳細な説明】
【技術分野】
【０００１】
本発明は、壁掛けテレビや大型モニターに用いられるプラズマディスプレイ装置の駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。
【０００３】
前面基板上には１対の走査電極と維持電極とからなる表示電極対が互いに平行に複数対形成され、背面基板上には複数の平行なデータ電極が形成されている。
【０００４】
そして表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００５】
そして各放電セル内でガス放電を発生させ、各色の蛍光体を励起発光させて画像表示を行う。
【０００６】
パネルを駆動する方法としてはサブフィールド法、すなわち１フィールド期間を複数のサブフィールドに分割した上で、発光させるサブフィールドの組み合わせによって階調表示を行う方法が一般的である。
【０００７】
各サブフィールドは、初期化期間、書込み期間および維持期間を有する。初期化期間では初期化放電を発生し、続く書込み動作に必要な壁電荷を各電極上に形成する。書込み期間では表示を行うべき放電セルで選択的に書込み放電を発生し壁電荷を形成する。そして維持期間ではサブフィールド毎に定められた数の維持パルスを表示電極対に交互に印加し、書込み放電を起こした放電セルで維持放電を発生させて発光させる。
【０００８】
このようなプラズマディスプレイ装置では、消費電力を削減するために様々な消費電力削減技術が提案されている。特に維持期間における消費電力を削減する技術の１つとして、表示電極対のそれぞれが表示電極対の電極間容量を持つ容量性の負荷であることに着目し、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する、いわゆる電力回収回路が開示されている（例えば、特許文献１参照）。
【０００９】
また電力回収回路を有する走査電極駆動回路および維持電極駆動回路を用いて立ち上りを急峻にした維持パルスを発生させ、維持放電のタイミングを揃えて表示輝度を均一化する駆動方法が開示されている（例えば、特許文献２参照）。
【００１０】
またインダクタに流れる電流を遮断する際に発生するリンギングをクランプするためのダイオードを設け、電力回収回路を構成する回路部品に過大な電圧が印加されることを防止した電力回収回路が提案されている（例えば、特許文献３参照）。
【特許文献１】特公平７−１０９５４２号公報
【特許文献２】特開２００５−３３８１２０号公報
【特許文献３】特開２００７−３０９９９９号公報
【発明の開示】
【発明が解決しようとする課題】
【００１１】
しかし、特許文献３に記載の電力回収回路は、あらたに耐圧の高いダンパダイオードを追加しなければならないため、コストが高くなるという課題があった。
【００１２】
また走査電極駆動回路の回路構成を電力回収回路の出力の節点の電圧が電力回収回路の出力する電圧範囲を超えて変動する回路構成とする場合には、リンギングをクランプするためのダンパダイオードが使用できないといった問題があった。
【００１３】
本発明は、これらの課題に鑑みなされたものであり、ダンパダイオードを追加することなく、安定に動作する回収回路を備えたプラズマディスプレイ装置の駆動方法を提供することを目的とする。
【課題を解決するための手段】
【００１４】
上記目的を達成するために本発明は、走査電極と維持電極とからなる表示電極対を有する放電セルを複数備えたパネルと、走査電極に維持パルスを印加する第１の維持パルス発生回路を有する走査電極駆動回路と、維持電極に維持パルスを印加する第２の維持パルス発生回路を有する維持電極駆動回路とを備えたプラズマディスプレイ装置の駆動方法であって、第１の維持パルス発生回路および第２の維持パルス発生回路のそれぞれはインダクタを有し、インダクタと表示電極対の間の電極間容量とをＬＣ共振させて維持パルスの立ち上りを行い、プラズマディスプレイ装置の電源投入後所定の時間が経過するまでの期間では維持パルスの立ち上り時間をＬＣ共振の共振周期の１／２周期より長く設定し、所定の時間が経過した後は維持パルスの立ち上り時間をＬＣ共振の共振周期の１／２周期以下に設定することを特徴とする。この方法により、ダンパダイオードを追加することなく、安定に動作する回収回路を備えたプラズマディスプレイ装置の駆動方法を提供することができる。
【００１５】
また本発明のプラズマディスプレイ装置の駆動方法における上記所定の時間は、電源投入後から画像表示を開始するまでの時間より短いことが望ましい。この方法により、所定の時間に維持パルスの立ち上り時間を大幅に遅らせても問題がない。
【発明の効果】
【００１６】
本発明によれば、ダンパダイオードを追加することなく、安定に動作する回収回路を備えたプラズマディスプレイ装置の駆動方法を提供することが可能となる。
【発明を実施するための最良の形態】
【００１７】
以下、本発明の実施の形態におけるプラズマディスプレイ装置の駆動方法について、図面を用いて説明する。
【００１８】
（実施の形態）
図１は、本発明の実施の形態におけるパネル１０の構造を示す分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部はガラスフリット等の封着材によって封着されている。そして放電空間には、例えばネオンとキセノンの混合ガスが放電ガスとして封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態におけるパネル１０の電極配列図である。パネル１０には、行方向に長いｎ本の走査電極ＳＣ１〜ＳＣｎ（図１の走査電極１２）およびｎ本の維持電極ＳＵ１〜ＳＵｎ（図１の維持電極１３）が配列され、列方向に長いｍ本のデータ電極Ｄ１〜Ｄｍ（図１のデータ電極２２）が配列されている。そして１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００２３】
次に、パネル１０を駆動する方法について説明する。本実施の形態においては、階調を表示する方法としていわゆるサブフィールド法を用いている。サブフィールド法は１フィールド期間を初期化期間、書込み期間、維持期間を有する複数のサブフィールドに分割し、サブフィールド毎に各放電セルの発光・非発光を制御することによって階調表示を行う方法である。
【００２４】
図３は、本発明の実施の形態におけるパネル１０の各電極に印加する駆動電圧波形を示す図であり、図３には２つのサブフィールドに対する駆動電圧波形を示しているが、他のサブフィールドにおける駆動電圧波形もほぼ同様である。
【００２５】
初期化期間では、データ電極Ｄ１〜Ｄｍおよび維持電極ＳＵ１〜ＳＵｎに０（Ｖ）を印加するとともに、走査電極ＳＣ１〜ＳＣｎに電圧Ｖｉ１から電圧Ｖｉ２に向かって緩やかに上昇するランプ電圧を印加する。その後、維持電極ＳＵ１〜ＳＵｎに電圧Ｖｅ１を印加するとともに、走査電極ＳＣ１〜ＳＣｎに電圧Ｖｉ３から電圧Ｖｉ４に向かって緩やかに下降するランプ電圧を印加する。すると各放電セルで微弱な初期化放電が発生し、続く書込み動作に必要な壁電荷を各電極上に形成する。なお、初期化期間の動作としては、図３の第２サブフィールドの初期化期間に示したように、走査電極ＳＣ１〜ＳＣｎに対して緩やかに下降するランプ電圧を印加するだけでもよい。この場合には直前のサブフィールドの維持期間で維持放電を起こした放電セルで選択的に初期化放電が発生する。
【００２６】
続く書込み期間では、維持電極ＳＵ１〜ＳＵｎに電圧Ｖｅ２を、走査電極ＳＣ１〜ＳＣｎに電圧Ｖｃを、データ電極Ｄ１〜Ｄｍに０（Ｖ）をそれぞれ印加する。次に、１行目の走査電極ＳＣ１に走査パルス電圧Ｖａを印加するとともに、発光すべき放電セルに対応するデータ電極Ｄｋ（ｋ＝１〜ｍ）に書込みパルス電圧Ｖｄを印加する。すると走査パルス電圧Ｖａと書込みパルス電圧Ｖｄとが同時に印加された１行目の放電セルでは書込み放電が発生し、走査電極ＳＣ１および維持電極ＳＵ１に壁電荷を蓄積する書込み動作が行われる。
【００２７】
２行目以降ｎ行目の放電セルに至るまで同様の書込み動作を行い、発光すべき放電セルに対して選択的に書込み放電を発生させ壁電荷を形成する。
【００２８】
続く維持期間では、消費電力を削減するために電力回収回路を用いて駆動を行っているが、駆動電圧波形の詳細については後述することとして、ここでは維持期間における維持動作の概要について説明する。
【００２９】
まず、維持電極ＳＵ１〜ＳＵｎに０（Ｖ）を印加するとともに、走査電極ＳＣ１〜ＳＣｎに維持パルス電圧Ｖｓを印加する。すると、書込み放電を起こした放電セルでは維持放電が起こり発光する。次に、走査電極ＳＣ１〜ＳＣｎに０（Ｖ）を印加するとともに、維持電極ＳＵ１〜ＳＵｎに維持パルス電圧Ｖｓを印加する。すると維持放電を起こした放電セルでは再び維持放電が起こり発光する。以降、輝度重みに応じた数の維持パルスを走査電極ＳＣ１〜ＳＣｎと維持電極ＳＵ１〜ＳＵｎとに交互に印加して、放電セルを発光させる。その後、走査電極ＳＣ１〜ＳＣｎにランプ電圧を印加していわゆる壁電荷消去を行い維持期間を終了する。
【００３０】
続くサブフィールドにおいても、上述したサブフィールドの動作と同様の動作を繰り返すことにより放電セルを発光させ、画像を表示している。
【００３１】
なお、本実施の形態において各電極に印加する電圧値は、例えば、電圧Ｖｉ２ｔ＝３３０（Ｖ）、電圧Ｖｓ＝２００（Ｖ）、電圧Ｖｄ＝７０（Ｖ）、電圧Ｖａ＝−１００（Ｖ）、電圧Ｖｅ１＝１６５（Ｖ）、電圧Ｖｅ２＝１７０（Ｖ）である。ただしこれらの電圧値は、単に一例を挙げたに過ぎず、パネル１０の特性やプラズマディスプレイ装置の仕様等に合わせて、適宜最適な値に設定することが望ましい。
【００３２】
図４は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５、各回路ブロックに必要な電源を供給する電源回路（図示せず）を備えている。
【００３３】
画像信号処理回路３１は、画像信号をパネル１０で表示できる画素数および階調数の画像信号に変換し、さらにサブフィールドのそれぞれにおける発光・非発光をデジタル信号のそれぞれのビットの「１」、「０」に対応させた画像データに変換する。データ電極駆動回路３２は、画像データを各データ電極Ｄ１〜Ｄｍに対応する書込みパルスに変換し、各データ電極Ｄ１〜Ｄｍに印加する。
【００３４】
タイミング発生回路３５は、水平同期信号、垂直同期信号をもとにして、各回路ブロックの動作を制御する各種のタイミング信号を発生し、それぞれの回路ブロックへ供給する。走査電極駆動回路３３は、維持期間において走査電極ＳＣ１〜ＳＣｎに印加する維持パルスを発生するための第１の維持パルス発生回路４０（以下、単に「維持パルス発生回路４０」と略記する）を有し、タイミング信号にもとづいて各走査電極ＳＣ１〜ＳＣｎをそれぞれ駆動する。維持電極駆動回路３４は、維持期間において維持電極ＳＵ１〜ＳＵｎに印加する維持パルスを発生するための第２の維持パルス発生回路５０（以下、単に「維持パルス発生回路５０」と略記する）とを有し、タイミング信号にもとづいて維持電極ＳＵ１〜ＳＵｎを駆動する。
【００３５】
次に、維持パルス発生回路４０、５０の詳細とその動作について説明する。図５は、本発明の実施の形態におけるプラズマディスプレイ装置３０の維持パルス発生回路４０、５０の回路図である。なお、図５にはパネル１０の電極間容量をＣｐとして示し、走査パルスおよび初期化電圧波形を発生させる回路は省略している。
【００３６】
維持パルス発生回路４０は、電力回収部４１とクランプ部４６とを備えている。電力回収部４１は、電力回収用のコンデンサＣ４１、スイッチング素子Ｑ４１、Ｑ４２、逆流防止用のダイオードＤ４１、Ｄ４２、共振用のインダクタＬ４１、Ｌ４２を有している。またダンパコンデンサＣ４３、Ｃ４４を有している。クランプ部４６は、電圧Ｖｓに走査電極１２をクランプするためのスイッチング素子Ｑ４６、および走査電極１２を接地電位にクランプするためのスイッチング素子Ｑ４７を有している。そして電力回収部４１およびクランプ部４６は、走査パルス発生回路（維持期間中は短絡状態となるため図示せず）を介してパネル１０の電極間容量Ｃｐの一端である走査電極１２に接続されている。
【００３７】
電力回収部４１は、電極間容量ＣｐとインダクタＬ４１またはインダクタＬ４２とをＬＣ共振させて維持パルスの立ち上りおよび立ち下りを行う。維持パルスの立ち上り時には、電力回収用のコンデンサＣ４１に蓄えられている電荷をスイッチング素子Ｑ４１、ダイオードＤ４１およびインダクタＬ４１を介して電極間容量Ｃｐに移動する。維持パルスの立ち下り時には、電極間容量Ｃｐに蓄えられた電荷を、インダクタＬ４２、ダイオードＤ４２およびスイッチング素子Ｑ４２を介して電力回収用のコンデンサＣ４１に戻す。こうして走査電極１２へ維持パルスを印加する。このように、電力回収部４１は電源から電力を供給されることなくＬＣ共振によって走査電極１２の駆動を行うため、理想的には消費電力が「０」となる。なお、電力回収用のコンデンサＣ４１は電極間容量Ｃｐに比べて十分に大きい容量を持ち、電力回収部４１の電源として働くように構成されており、安定動作時には電圧Ｖｓの半分の約Ｖｓ／２に充電されている。
【００３８】
なお、ダイオードＤ４１とインダクタＬ４１とを接続した節点を「節点Ｎ１」と称し、ダイオードＤ４２とインダクタＬ４２とを接続した節点を「節点Ｎ２」と称する。
【００３９】
クランプ部４６は、スイッチング素子Ｑ４６を介して走査電極１２を電圧Ｖｓの電源に接続し、走査電極１２を電圧Ｖｓにクランプする。またスイッチング素子Ｑ４７を介して走査電極１２を接地し、０（Ｖ）にクランプする。このようにしてクランプ部４６は走査電極１２を駆動する。従って、クランプ部４６による電圧印加時のインピーダンスは小さく、強い維持放電による大きな放電電流を安定して流すことができる。
【００４０】
こうして維持パルス発生回路４０は、スイッチング素子Ｑ４１、Ｑ４２、Ｑ４６、Ｑ４７を制御することによって電力回収部４１とクランプ部４６とを用いて走査電極１２に維持パルスを印加する。なお、これらのスイッチング素子は、ＭＯＳＦＥＴやＩＧＢＴ等の一般に知られた素子を用いて構成することができる。
【００４１】
なお、ダイオードＤ４６、Ｄ４７はスイッチング素子Ｑ４６、Ｑ４７としてＩＧＢＴを用いた場合に逆方向の電流をバイパスするために設けられているが、スイッチング素子Ｑ４６、Ｑ４７としてＭＯＳＦＥＴを用いる場合には不要である。
【００４２】
維持パルス発生回路５０は、電力回収用のコンデンサＣ５１、スイッチング素子Ｑ５１、Ｑ５２、逆流防止用のダイオードＤ５１、Ｄ５２、共振用のインダクタＬ５１、Ｌ５２、ダンパコンデンサＣ５３、Ｃ５４を有する電力回収部５１と、維持電極１３を電圧Ｖｓにクランプするためのスイッチング素子Ｑ５６および維持電極１３を接地電位にクランプするためのスイッチング素子Ｑ５７を有するクランプ部５６とを備え、パネル１０の電極間容量Ｃｐの一端である維持電極１３に接続されている。なお、維持パルス発生回路５０の動作は維持パルス発生回路４０と同様であるので説明を省略する。
【００４３】
なお、電力回収部４１のインダクタＬ４１、Ｌ４２とパネル１０の電極間容量ＣｐとのＬＣ共振の周期、および電力回収部５１のインダクタＬ５１、Ｌ５２と同電極間容量ＣｐとのＬＣ共振の周期（以下、「共振周期」と記す）は、これらインダクタのインダクタンスをＬとすれば、計算式「２π√（ＬＣｐ）」によって求めることができる。そして、本実施の形態では、電力回収部４１、５１の共振周期がおよそ１２００ｎｓｅｃになるようにインダクタＬ４１、Ｌ４２、Ｌ５１、Ｌ５２をそれぞれ設定している。
【００４４】
次に、維持パルス発生回路４０、５０の動作と維持パルスの詳細について説明する。はじめに、プラズマディスプレイ装置３０の電源投入後、所定の時間が経過した後の安定動作時における動作について説明する。上述したように安定動作時には電力回収用のコンデンサＣ４１は電圧Ｖｓ／２に充電されている。
【００４５】
図６は、本発明の実施の形態におけるプラズマディスプレイ装置３０の維持パルス発生回路４０、５０の安定動作時の動作を示すタイミングチャートである。維持パルスの繰返し周期の１周期分をＴ１〜Ｔ６で示した６つの期間に分割し、それぞれの期間について説明する。なお、以下の説明において、スイッチング素子を導通させる動作をＯＮ、遮断させる動作をＯＦＦと表記する。また以下では走査電極ＳＣ１〜ＳＣｎに印加する維持パルスについて詳細に説明するが、維持電極ＳＵ１〜ＳＵｎに印加する維持パルスについても同様である。
【００４６】
（期間Ｔ１）
時刻ｔ１でスイッチング素子Ｑ４１をＯＮにする。すると節点Ｎ１の電圧は、電力回収用のコンデンサＣ４１の電圧Ｖｓ／２と等しくなる。そしてコンデンサＣ４１からスイッチング素子Ｑ４１、ダイオードＤ４１、インダクタＬ４１を介して電流が流れ始め、走査電極ＳＣ１〜ＳＣｎの電圧が上がり始める。
【００４７】
インダクタＬ４１と電極間容量Ｃｐとは共振回路を形成しているので、共振周期の１／２の時間経過後には走査電極ＳＣ１〜ＳＣｎの電圧は電圧Ｖｓ付近まで上昇する。しかし、時刻ｔ１から時刻ｔ２までの期間Ｔ１、すなわち電力回収部４１を用いた維持パルスの立ち上り時間は共振周期の１／２よりも短く、本実施の形態においては、例えば５００ｎｓｅｃに設定されているため、時刻ｔ２において走査電極ＳＣ１〜ＳＣｎの電圧は電圧Ｖｓまでは上がらない。
【００４８】
（期間Ｔ２）
時刻ｔ２でスイッチング素子Ｑ４６をＯＮにする。すると、走査電極ＳＣ１〜ＳＣｎはスイッチング素子Ｑ４６を通して電源へ接続され、電圧Ｖｓにクランプされる。
【００４９】
走査電極ＳＣ１〜ＳＣｎが電圧Ｖｓにクランプされると、書込み放電を起こした放電セルでは走査電極ＳＣｉと維持電極ＳＵｉとの間の電圧差が放電開始電圧を超え維持放電が発生する。
【００５０】
このとき節点Ｎ１の電圧に注目する。時刻ｔ１から時刻ｔ２までの期間Ｔ１は共振周期の１／２よりも短く設定されているため、時刻ｔ２ではインダクタＬ４１にはまだ電流が流れており、ダイオードＤ４１もＯＮしている。そのため節点Ｎ１の電圧は電圧Ｖｓ／２のままである。その後、インダクタＬ４１に流れる電流が「０」となり、ダイオードＤ４１がＯＦＦとなると、節点Ｎ１の電圧は電圧Ｖｓ／２から電圧Ｖｓまで急激に上昇しようとする。しかしインダクタＬ４１とコンデンサＣ４３および浮遊容量とが共振して、節点Ｎ１にはリンギングが発生する。このとき逆流防止用のダイオードＤ４１が理想的なダイオードであると仮定すると、リンギングの振幅は電圧変化の２倍、すなわち（Ｖｓ−Ｖｓ／２）×２＝Ｖｓを超えることはない。しかし逆流防止用のダイオードＤ４１のリカバリ電流が大きいと、インダクタＬ４１に逆方向の電流が流れ、インダクタＬ４１に余分のエネルギーが蓄積されてリンギングの振幅は大きくなる。
【００５１】
従って逆流防止用のダイオードＤ４１、Ｄ４２としてはリカバリ電流の少ないダイオードを用いることが望ましいが、実用上は、理想的なダイオードの２割〜３割増しのリンギングが発生する。本実施の形態においてはこのリンギングを見越して、電圧Ｖｓのほぼ２倍の耐圧を持つダイオードを逆流防止用のダイオードＤ４１、Ｄ４２として使用している。
【００５２】
なお、走査電極ＳＣ１〜ＳＣｎを電圧Ｖｓにクランプしていたスイッチング素子Ｑ４６は時刻ｔ３直前にＯＦＦにする。またスイッチング素子Ｑ４１は時刻ｔ２以降、時刻ｔ３までにＯＦＦにする。
【００５３】
（期間Ｔ３）
時刻ｔ３でスイッチング素子Ｑ４２をＯＮにする。すると節点Ｎ２の電圧は電力回収用のコンデンサＣ４１の電圧Ｖｓ／２と等しくなる。そして走査電極ＳＣ１〜ＳＣｎからインダクタＬ４２、ダイオードＤ４２、スイッチング素子Ｑ４２を介して電力回収用のコンデンサＣ４１に電流が流れ始め、走査電極ＳＣ１〜ＳＣｎの電圧が下がり始める。インダクタＬ４２と電極間容量Ｃｐとは共振回路を形成しているので、共振周期の１／２の時間経過後には走査電極ＳＣ１〜ＳＣｎの電圧は０（Ｖ）付近まで低下する。しかし、時刻ｔ３から時刻ｔ４までの期間Ｔ３、すなわち電力回収部４１を用いた維持パルスの立ち下り時間は共振周期の１／２よりも短く、本実施の形態においては、例えば５００ｎｓｅｃに設定されているため、時刻ｔ４において走査電極ＳＣ１〜ＳＣｎの電圧は０（Ｖ）までは下がらない。
【００５４】
（期間Ｔ４）
時刻ｔ４でスイッチング素子Ｑ４７をＯＮにする。すると、走査電極ＳＣ１〜ＳＣｎはスイッチング素子Ｑ４７を通して接地され、０（Ｖ）にクランプされる。
【００５５】
このとき節点Ｎ２の電圧に注目する。この場合も時刻ｔ４ではインダクタＬ４２にはまだ電流が流れておりダイオードＤ４２もＯＮしているため節点Ｎ２の電圧は電圧Ｖｓ／２のままである。その後、インダクタＬ４２に流れる電流が「０」となりダイオードＤ４２がＯＦＦとなると、節点Ｎ２の電圧が電圧Ｖｓ／２から０（Ｖ）まで急激に下降しようとする。しかしインダクタＬ４２とコンデンサＣ４４および浮遊容量とが共振して、節点Ｎ２にはリンギングが発生する。このときのリンギングの振幅も期間Ｔ２において節点Ｎ１で発生するリンギングの振幅と同様である。
【００５６】
（期間Ｔ５、期間Ｔ６）
この期間は、走査電極ＳＣ１〜ＳＣｎは継続して０（Ｖ）にクランプされる。そしてスイッチング素子Ｑ４７は次の時刻ｔ１直前にＯＦＦにする。なお、スイッチング素子Ｑ４２は時刻ｔ４以降、次の時刻ｔ１までにＯＦＦにする。
【００５７】
以上の期間Ｔ１〜Ｔ６の動作を繰り返すことにより、必要な数の維持パルスを走査電極ＳＣ１〜ＳＣｎ、維持電極ＳＵ１〜ＳＵｎに印加する。
【００５８】
次に、プラズマディスプレイ装置３０の電源投入後、所定の時間が経過するまでの起動時における動作について説明する。起動時には、電力回収用のコンデンサＣ４１はまだ十分に充電されていないため、コンデンサＣ４１の電圧は電圧Ｖｓ／２よりも低い。
【００５９】
図７は、本発明の実施の形態のプラズマディスプレイ装置３０における維持パルス発生回路４０の起動時の動作を示すタイミングチャートである。なお以下では、説明のために電力回収用のコンデンサＣ４１の電圧が電圧Ｖｓ／４であると仮定する。
【００６０】
（期間Ｔ１１）
時刻ｔ１１でスイッチング素子Ｑ４１をＯＮにする。すると節点Ｎ１の電圧は、コンデンサＣ４１の電圧Ｖｓ／４と等しくなる。そして電力回収用のコンデンサＣ４１からスイッチング素子Ｑ４１、ダイオードＤ４１、インダクタＬ４１を介して電流が流れ始め、走査電極ＳＣ１〜ＳＣｎの電圧が上がり始める。そして共振周期の１／２の時間経過後には走査電極ＳＣ１〜ＳＣｎの電圧は電圧Ｖｓ／２付近まで上昇する。
【００６１】
その後は逆流防止用のダイオードＤ４１がＯＦＦとなるので、走査電極ＳＣ１〜ＳＣｎの電圧は電圧Ｖｓ／２のままである。また節点Ｎ１の電圧は、リンギングを伴って電圧Ｖｓ／４から電圧Ｖｓ／２まで上昇する。
【００６２】
このように本実施の形態においては、時刻ｔ１１から時刻ｔ１２までの期間Ｔ１１、すなわち電力回収部４１を用いた維持パルスの立ち上り時間は共振周期の１／２よりも長く、本実施の形態においては、例えば９００ｎｓｅｃに設定されている。
【００６３】
（期間Ｔ１２）
プラズマディスプレイ装置３０の起動時には、共振周期の１／２より長い時間、本実施の形態においては、例えば９００ｎｓｅｃが経過した後の時刻ｔ１２において、スイッチング素子Ｑ４６をＯＮにする。すると、走査電極ＳＣ１〜ＳＣｎはスイッチング素子Ｑ４６を通して電源へ接続され、電圧Ｖｓにクランプされる。
【００６４】
このとき節点Ｎ１の電圧に注目する。時刻ｔ１１から時刻ｔ１２までの期間Ｔ１１は共振周期の１／２よりも長く設定されているため、時刻ｔ１２ではインダクタＬ４１には電流が流れていない。そして時刻ｔ１２で節点Ｎ１の電圧が電圧Ｖｓ／２から急激に電圧Ｖｓまで上昇しようとする。しかしインダクタＬ４１とコンデンサＣ４３および浮遊容量とが共振して、節点Ｎ１にはリンギングが発生する。逆流防止用のダイオードＤ４１にはリカバリ電流が流れないため、このときのリンギングの振幅はダイオードＤ４１が理想的なダイオードであると仮定したときのリンギングの振幅にほぼ等しく、（Ｖｓ−Ｖｓ／２）×２＝Ｖｓを超えることはない。
【００６５】
仮に、時刻ｔ１１から時刻ｔ１２までの期間Ｔ１１を共振周期の１／２以下に設定したと仮定すると、図７に破線で示したように、時刻ｔ１２’において、走査電極ＳＣ１〜ＳＣｎの電圧は電圧Ｖｓまで上昇する。しかし時刻ｔ１２’ではインダクタＬ４１にはまだ電流が流れておりダイオードＤ４１もＯＮしているため節点Ｎ１の電圧は電圧Ｖｓ／４のままである。その後、インダクタＬ４１に流れる電流が「０」となり逆流防止用のダイオードＤ４１がＯＦＦとなると、節点Ｎ１の電圧が電圧Ｖｓ／４から電圧Ｖｓまで急激に上昇しようとする。しかしインダクタＬ４１とコンデンサＣ４３および浮遊容量とが共振して、節点Ｎ１には図７に破線で示したように非常に大きいリンギングが発生することになる。このときのリンギングの振幅は、逆流防止用のダイオードＤ４１が理想的なダイオードであっても（Ｖｓ−Ｖｓ／４）×２＝３Ｖｓ／２程度になる可能性がある。加えて逆流防止用のダイオードＤ４１のリカバリ電流が大きいとさらに大きくなり、ダイオードＤ４１、Ｄ４２には耐圧を超える過大な電圧が印加され、ダイオードが劣化する恐れがある。
【００６６】
しかしながら本実施の形態においては、起動時における時刻ｔ１１から時刻ｔ１２までの期間Ｔ１１を共振周期の１／２よりも十分長く設定しているため、図７の実線に示したように、節点Ｎ１に発生するリンギングの振幅を抑制することができ、逆流防止用のダイオードＤ４１、Ｄ４２が劣化することはない。
【００６７】
なお、走査電極ＳＣ１〜ＳＣｎを電圧Ｖｓにクランプしていたスイッチング素子Ｑ４６は時刻ｔ１３直前にＯＦＦにする。またスイッチング素子Ｑ４１は時刻ｔ１２以降、時刻ｔ１３までにＯＦＦにする。
【００６８】
（期間Ｔ１３）
時刻ｔ１３でスイッチング素子Ｑ４２をＯＮにする。すると走査電極ＳＣ１〜ＳＣｎからインダクタＬ４２、ダイオードＤ４２、スイッチング素子Ｑ４２を介して電力回収用のコンデンサＣ４１に電流が流れ始め、走査電極ＳＣ１〜ＳＣｎの電圧が下がり始める。共振周期の１／２の時間経過後には走査電極ＳＣ１〜ＳＣｎの電圧は計算上は電圧−Ｖｓ／２（Ｖ）付近まで低下することになるが、実際は０（Ｖ）になった時点でダイオードＤ４７がＯＮするため、走査電極ＳＣ１〜ＳＣｎの電圧は０（Ｖ）となる。
【００６９】
（期間Ｔ１４）
時刻ｔ１４でスイッチング素子Ｑ４７をＯＮにする。走査電極ＳＣ１〜ＳＣｎは継続して０（Ｖ）にクランプされる。そしてスイッチング素子Ｑ４７は次の時刻ｔ１１直前にＯＦＦにする。またスイッチング素子Ｑ４２は時刻ｔ１４以降、次の時刻ｔ１１までにＯＦＦにする。
【００７０】
以上、詳細に説明したように、プラズマディスプレイ装置３０の電源投入時から所定の期間の間は、電力回収部４１を用いた維持パルスの立ち上り時間を共振周期の１／２よりも長く設定し、逆流防止用のダイオードＤ４１、Ｄ４２に電流が流れなくなった後に、スイッチング素子Ｑ４６をＯＮにして電圧Ｖｓにクランプする。また維持電極に印加する維持パルスについても同様に、電力回収部５１を用いた維持パルスの立ち上り時間を共振周期の１／２よりも長く設定し、逆流防止用のダイオードＤ５１、Ｄ５２に電流が流れなくなった後に、スイッチング素子Ｑ５６をＯＮにして電圧Ｖｓにクランプする。このように駆動することにより、ダンパダイオードを用いることなく、これらの逆流防止用のダイオードとして耐圧の低いダイオードを用いることができる。
【００７１】
なお、プラズマディスプレイ装置３０の電源投入後１ｓｅｃ程度で、電力回収用のコンデンサＣ４１、Ｃ５１が電圧Ｖｓ／２に充電されるので、電力回収部５１を用いた維持パルスの立ち上り時間を共振周期の１／２よりも長く設定する時間は１ｓｅｃ程度でよい。また電源投入後１ｓｅｃ〜３ｓｅｃ程度の期間は、画像表示を開始するまでの期間であるので、この期間中に維持パルスの立ち上り時間を大幅に遅らせても問題がない。
【００７２】
このように、プラズマディスプレイ装置の電源投入後所定の時間が経過するまでの起動時では、維持パルスの立ち上り時間をＬＣ共振の共振周期の１／２周期より長く設定し、所定の時間以降は、維持パルスの立ち上り時間をＬＣ共振の共振周期の１／２周期以下に設定することにより、高価な高耐圧のダンパダイオードを用いることなしに、電力回収部の逆流防止用のダイオードの耐圧を下げることができる。
【００７３】
なお、走査電極駆動回路３３としては様々な回路構成が可能である。図８は、本発明の実施の形態におけるプラズマディスプレイ装置３０の走査電極駆動回路３３の具体的な回路構成の一例である。走査電極駆動回路３３は、走査パルスを発生するための走査パルス発生回路６０と、維持パルスを発生する維持パルス発生回路６２と、電圧Ｖｓ以上の電圧まで上昇する駆動電圧波形を発生する波形発生回路６４と、０（Ｖ）以下の電圧まで低下する駆動電圧波形を発生する波形発生回路６６とを備えている。
【００７４】
走査パルス発生回路６０は、電源Ｅ６０と、走査電極ＳＣ１〜ＳＣｎのそれぞれに電源Ｅ６０の高電圧側の電圧または低電圧側の電圧を出力するスイッチ部ＯＵＴ１〜ＯＵＴｎとを備えている。
【００７５】
維持パルス発生回路６２は、クランプ部７０と電力回収部７５とを備えている。クランプ部７０は、電圧Ｖｓに出力をクランプするスイッチング素子Ｑ７１と、スイッチング素子Ｑ７１にバックツーバックで直列に接続されたスイッチング素子Ｑ７２と、０（Ｖ）に出力をクランプするスイッチング素子Ｑ７４と、スイッチング素子Ｑ７４にバックツーバックで直列に接続されたスイッチング素子Ｑ７３とを備えている。
【００７６】
またスイッチング素子Ｑ７１、スイッチング素子Ｑ７２、スイッチング素子Ｑ７３、スイッチング素子Ｑ７４のそれぞれに対して、エミッタからコレクタに向かう電流をバイパスさせるためのダイオードＤ７１、ダイオードＤ７２、ダイオードＤ７３、ダイオードＤ７４を並列に接続している。
【００７７】
電力回収部７５は、図５に示した電力回収部４１と同様に、電力回収用のコンデンサＣ７６と、コンデンサＣ７６から走査電極ＳＣ１〜ＳＣｎへ電流を流す電流経路を形成するスイッチング素子Ｑ７７、逆流防止用のダイオードＤ７７およびインダクタＬ７７と、走査電極ＳＣ１〜ＳＣｎからコンデンサＣ７６へ電流を流す電流経路を形成するスイッチング素子Ｑ７８、逆流防止用のダイオードＤ７８およびインダクタＬ７８とを有している。
【００７８】
波形発生回路６４は、電界効果トランジスタＱ６４とコンデンサＣ６４と抵抗Ｒ６４とツェナーダイオードＤ６４を有するミラー積分回路で構成され、電圧Ｖｓ以上の電圧まで上昇する上り傾斜波形電圧を発生する。そしてその傾斜波形電圧はスイッチング素子Ｑ７３とスイッチング素子Ｑ７４との接続点に出力される。
【００７９】
波形発生回路６６は、電界効果トランジスタＱ６６とコンデンサＣ６６と抵抗Ｒ６６とを有するミラー積分回路を備え、緩やかに下降する下り傾斜波形電圧を発生する。そしてその傾斜波形電圧はスイッチング素子Ｑ７１とスイッチング素子Ｑ７２との接続点に接続されている。
【００８０】
このように構成された走査電極駆動回路３３では、節点Ｎ１、節点Ｎ２の電圧は電圧Ｖｓ以上の電圧まで上昇し、また０（Ｖ）以下の電圧まで下降するので、節点Ｎ１、節点Ｎ２にダンパダイオードを接続してリンギングを抑制することができない。しかし本発明を適用することで、節点Ｎ１、Ｎ２に発生するリンギングの振幅を抑制することができ、逆流防止用のダイオードＤ７７、Ｄ７８の劣化を防止することができる。
【００８１】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００８２】
本発明は、ダンパダイオードを追加することなく、安定に動作する回収回路を備えたプラズマディスプレイ装置の駆動方法を提供することができるので、プラズマディスプレイ装置に有用である。
【図面の簡単な説明】
【００８３】
【図１】本発明の実施の形態におけるパネルの構造を示す分解斜視図
【図２】同パネルの電極配列図
【図３】同パネルの各電極に印加する駆動電圧波形を示す図
【図４】本発明の実施の形態におけるプラズマディスプレイ装置の回路ブロック図
【図５】同プラズマディスプレイ装置の維持パルス発生回路の回路図
【図６】同プラズマディスプレイ装置の維持パルス発生回路の安定動作時の動作を示すタイミングチャート
【図７】同プラズマディスプレイ装置の維持パルス発生回路の起動時の動作を示すタイミングチャート
【図８】同プラズマディスプレイ装置の走査電極駆動回路の具体的な回路構成の一例を示す図
【符号の説明】
【００８４】
１０    パネル
１２    走査電極
１３    維持電極
１４    表示電極対
２２    データ電極
３０    プラズマディスプレイ装置
３１    画像信号処理回路
３２    データ電極駆動回路
３３    走査電極駆動回路
３４    維持電極駆動回路
３５    タイミング発生回路
４０，５０    維持パルス発生回路
４１，５１    電力回収部
４６，５６    クランプ部
Ｃ４１，Ｃ５１    （電力回収用の）コンデンサ
Ｃ４３，Ｃ４４，Ｃ５３，Ｃ５４    （ダンパ）コンデンサ
Ｄ４１，Ｄ４２，Ｄ５１，Ｄ５２    （逆流防止用の）ダイオード
Ｌ４１，Ｌ４２，Ｌ５１，Ｌ５２    （共振用の）インダクタ
Ｑ４１，Ｑ４２，Ｑ４６，Ｑ４７，Ｑ５１，Ｑ５２，Ｑ５６，Ｑ５７    スイッチング素子
【図１】
2009192649.tif 000003
【図２】
2009192649.tif 000004
【図３】
2009192649.tif 000005
【図４】
2009192649.tif 000006
【図５】
2009192649.tif 000007
【図６】
2009192649.tif 000008
【図７】
2009192649.tif 000009
【図８】
2009192649.tif 000010